(57)【特許請求の範囲】
【請求項１】
内部の薬液を吸上げる吸液芯が設けられた液体容器と、液体容器が下部にセットされ上部に蒸散口を有する蒸散器本体と、蒸散器本体内に固定支持され前記吸液芯を加熱する加熱部と、加熱部より下方で蒸散器本体の側面に設けられた空気取入口とを備えた加熱蒸散器において、前記空気取入口は、取入口開閉制御手段によって開口面積の調節が可能であり、空気取入口は、吸液芯に対して対向し合う位置にそれぞれ配置されると共に、取入口開閉制御手段によって対向し合う各空気取入口からほぼ同一量の空気が取入れられるよう開口面積の調節が可能であることを特徴とする加熱蒸散器。
【発明の詳細な説明】
【０００１】
【発明の属する技術分野】
この発明は、部屋の消臭や芳香等に適する加熱蒸散器に関する。
【０００２】
【従来の技術】
薬液等の液体を気化・蒸散されることで、例えば、部屋の消臭等を行なう加熱蒸散器にあっては、例えば、特開平８−１４８号公報に記載のものが知られている。
【０００３】
加熱蒸散器の概要は、液体容器が下部にセットされた蒸散器本体内にヒータ等の発熱体が設けられ、発熱体によって前記液体容器内の薬液を吸上げる吸液芯に熱を与えることで、気化・蒸散を促し、蒸散器本体の上方に設けられた蒸散口から外部へ拡散する構造となっている。
【０００４】
【発明が解決しようとする課題】
吸液芯は、加熱されることで薬液の気化・蒸散が促進され上方の蒸散口から外へ拡散される。
【０００５】
蒸散口から外への拡散は、蒸散口へ向かう上昇流が確実に作られることで効率の良い状態が確保される所から、器体の下から空気を取入れるようにしている。
【０００６】
器体の下部には液体容器が挿入セットされているため、器体と液体容器との間に隙間を確保することで空気の取り入れが行なわれるが、隙間が小さいと拡散口へ向かう確実な上昇流が得られにくくなる。このため、隙間を大きくすればよいが、この場合、器体をそのままにして液体容器を小さくするか、あるいは、液体容器をそのままにして器体を大きくすることで達成できるが、前者にあっては液体容器の大きさに制約を受ける。後者にあっては全体が大型化する等の不具合を招く。
【０００７】
また、器体の下部に直接液体容器を挿入セットするタイプにあっては、隙間を作ることができず、液体容器の挿入タイプによって採用できない等の問題を有していた。
【０００８】
そこで、この発明は、液体容器に何等影響されることなく確実な空気の取り入れが行なえるようにすると共に、部屋の広さに対応した確実で最適な上昇流が得られるようにした加熱蒸散器を提供することを目的としている。
【０００９】
【課題を解決するための手段】
この発明は、内部の薬液を吸上げる吸液芯が設けられた液体容器と、液体容器が下部にセットされ上部に蒸散口を有する蒸散器本体と、蒸散器本体内に固定支持され前記吸液芯を加熱する加熱部と、加熱部より下方で蒸散器本体の側面に設けられた空気取入口とを備えた加熱蒸散器において、前記空気取入口は、取入口開閉制御手段によって開口面積の調節が可能であり、空気取入口は、吸液芯に対して対向し合う位置にそれぞれ配置されると共に、取入口開閉制御手段によって対向し合う各空気取入口からほぼ同一量の空気が取入れられるよう開口面積の調節が可能であることを特徴とする。
【００１０】
これにより、空気取入口から取入れられた空気は上方の蒸散口へ向かう確実な上昇流が得られる。この時、下部に挿入セットされた液体容器に何等邪魔されることなく空気の取り入れが行なわれる。さらに、取入口開閉制御手段によって空気取入口の開口面積を大きくしたり、小さくすることで、部屋の広さや設置場所に対応した最適な空気取入量の制御が行なえるようになる。
【００１６】
また、左右の空気取入口から中央部へ集まり上方の蒸散口へ向かって上昇する空気取入量の制御が可能となり、例えば、部屋が狭い場合には空気取入量を少なく、広い場合には空気取入量を多くすることで、部屋の広さに応じた最適な上昇流が確保されるようになる。
【００１７】
【発明の実施の形態】
以下、図１乃至図５の図面を参照しながらこの発明の実施の形態について具体的に説明する。
【００１８】
図１は加熱蒸散器１の概要切断面図を示している。
【００１９】
加熱蒸散器１の蒸散器本体３は、合成樹脂の材質で作られていて、内部には加熱部５が配置される一方、下部には薬液の入った液体容器７が着脱自在に挿入セットされている。蒸散器本体３は締結ねじ９を緩めることで図３に示す突合せ線１１から前後３ａ，３ｂに分割可能となっていて、蒸散器本体３の上面中央部位には蒸散口１３が、下部には、正面からみて左右両側にスリット状の空気取入口１５がそれぞれ設けられている。
【００２０】
蒸散口１３は、丸孔状に形成された上下に貫通する主開放口１７と、主開放口１７の周縁４箇所に主開放口１７より開口面積の小さい副開放口１９とで形成され、蒸散器本体３の外方に突出した手動用の操作レバー２３と、操作レバー２３のスライド移動（図１矢印）によって蒸散口１３の開口面積を拡縮する帯板状の制御ドア２５によって開口面積の調節が可能となっている。
【００２１】
具体的には、部屋が広い場合には蒸散口１３の開口面積を絞ることで、蒸散口１３の通過時の流速を速めて高く上昇させ、高い位置から拡散させることで、広い部屋でも効率よく使用可能となっている。また、部屋が狭い場合には蒸散口１３の開口面積を拡げることで、蒸散口１３の通過時の流速を遅くして低く上昇させ、低い位置から拡散されることで、狭い部屋でも効率よく使用可能となっている。
【００２２】
空気取入口１５は、加熱部５より下位に位置すると共に、同一開口面積で対称位置にそれぞれ配置され、取入口開閉制御手段２７によって開口面積の調節が可能となっている。
【００２３】
取入口開閉制御手段２７は、蒸散器本体３の外方へ突出した手動用の操作部２９と、操作部２９のスライド移動によって空気取入口１５の開口面積を拡縮する帯板状の制御ドア３０とで構成されている。
【００２４】
したがって、空気取入口１５となるスリットの数を、例えば、一方で１つ制御した時に、他方でも１つ制御することで、左右から同一量の空気取入れが可能となる。
【００２５】
この場合、図示の如くスリット状に形成された同一面積の空気取入口１５を左右にそれぞれ同じ数、配置することで開閉制御の管理が容易となるが、必ずしも左右の空気取入口１５の開口面積を同一にする必要はなく、一方の開口面積を他方より大きくしておき、左右の制御ドア３０のスライド量のちがいによって、同一量の空気が左右から取入れられるようにしてもよい。
【００２６】
一方、液体容器７は容器本体７ａ内からキャップ取付部７ｂを介して上方へ延長された吸液芯３５を有すると共に、容器本体７ａの正面には、図２に示すように楕円状に形成された係合突起部３７が設けられている。
【００２７】
係合突起部３７は、容器本体７ａを蒸散器本体３の下部に挿入する時、蒸散器本体３の裾部を強制的に押し拡げていき、蒸散器本体３に設けられた係合孔３９と係合し合うことで、蒸散器本体３の裾部が元に戻る復帰力によって、係合孔３９と係合突起部３７との係合状態によって容器本体７の固定支持が確保されるようになっている。
【００２８】
吸液芯３５は、容器本体７の薬液を吸上げる熱に強い材質で作られていて、液体容器７を蒸散器本体３の下部に挿入セットした時、加熱部５の発熱体４１から若干上方へ突出する長さに設定されている。
【００２９】
加熱部５は、図５に示すように絶縁材によって取囲まれていて、加熱制御部４３と発熱体４１とから成り、取付け部４７はビス４９によって蒸散器本体３内に設けられた支持部材５１に固定支持されている。加熱制御部４３の端子４３ａは、前記支持部材５１に装着され、蒸散器本体３の後側から突出するプラグ５３と電気的に接続していて、プラグ５３をソケット５５に差込むことで電流が流れ、発熱体４１に熱を与えるＰＴＣヒータとなっている。
【００３０】
発熱体４１は吸液芯３５の外周を若干の隙間を有して取囲むリング状に形成されている。
【００３１】
なお、図２において５７は、使用時に点燈するパイロットランプを示している。
【００３２】
このように構成された加熱蒸散器１によれば、プラグ５３をソケット５５に差込むことで、吸液芯３５に熱が与えられ、気化した薬液は蒸散口１３から外へ拡散される。この時、左右の空気取入口１５から取入れられた同一量の空気は中央部へ集まり上方の蒸散口１３へ向かう合流した確実な上昇流が確保される。
【００３３】
一方、例えば、小さい部屋で使用する場合には制御ドア３０，３０によって空気取入口１５の開口面積を小さくし、空気取入量を少なくする。また、大きい部屋で使用する場合には空気取入口１５，１５の開口面積を大きくし、空気取入量を多くすることで、部屋の大きさに対応した最適な空気取入れが行なえるようになる。この結果、部屋の広さによって拡散が多くなりすぎたり、少なくなり過ぎる等の不具合が解消される。
【００３４】
この場合、蒸散口１３の開口面積の制御と組合わせればより幅広い空気取入量の制御が行なえる。
【００３５】
【発明の効果】
以上、説明したように、この発明によれば、蒸散器本体の側面に設けられた空気取入口によって、液体容器に邪魔されることなく確実に空気の取り入れを行なうことができる。さらに、空気取入口の開口面積の調節が可能となり、部屋の広さや設置場所に対応した最適な空気取入量を得ることができる。
【００３８】
また、左右の空気取入口から同一量の空気を取り入れることができるため、部屋の広さに応じた最適な上昇流を確保することができる。
【図面の簡単な説明】
【図１】この発明にかかる加熱蒸散器の概要切断面図。
【図２】加熱蒸散器の正面図。
【図３】加熱蒸散器の側面図。
【図４】加熱蒸散器の背面図。
【図５】加熱部のみを示した概要斜視図。
【符号の説明】
３  蒸散器本体
５  加熱部
７  液体容器
１３  蒸散口
１５  空気取入口
３５  吸液芯
【図１】
0004691642.tif 000002
【図２】
0004691642.tif 000003
【図３】
0004691642.tif 000004
【図４】
0004691642.tif 000005
【図５】
0004691642.tif 000006